【手続補正書】
【提出日】平成17年12月7日(2005.12.7)
【手続補正１】
【補正対象書類名】特許請求の範囲
【補正対象項目名】全文
【補正方法】変更
【補正の内容】
【特許請求の範囲】
【請求項１】
入力画像を発生する装置の種類が第１の種類である場合に、前記入力画像をシート上に画像形成する際に用いる記録材の組み合わせを、第１の組み合わせに指定する情報を生成し、
前記入力画像を発生する装置の種類が前記第１の種類より品位の低い種類である場合に、前記入力画像をシート上に画像形成する際に用いる記録材の組み合わせを、前記第１の組み合わせより記録材数が少ない組み合わせに指定する情報を生成する生成手段と、
前記生成手段により生成された情報に応じて前記入力画像をシート上に画像形成するように、前記情報を前記入力画像に関連付ける関連付け手段とを有することを特徴とする画像処理装置。
【請求項２】
前記装置の種類とは、前記入力画像を発生する読み取り装置のセンサの種類であることを特徴とする請求項１に記載の画像処理装置。
【請求項３】
前記第１の種類の読み取り装置のセンサの種類にはＣＣＤが含まれ、前記第１の種類より品位の低い種類の読み取り装置のセンサの種類にはＣＩＳが含まれることを特徴とする請求項２に記載の画像処理装置。
【請求項４】
入力画像を記述する記述言語の種類が第１の種類である場合に、前記入力画像をシート上に画像形成する際に用いる記録材の組み合わせを、第１の組み合わせに指定する情報を生成し、
前記入力画像を記述する記述言語の種類が、前記第１の種類より前記入力画像を高画質に再現できない種類である場合に、前記入力画像をシート上に画像形成する際に用いる記録材の組み合わせを、前記第１の組み合わせより記録材数が少ない組み合わせに指定する情報を生成する生成手段と、
前記生成手段により生成された情報に応じて前記入力画像をシート上に画像形成するように、前記情報を前記入力画像に関連付ける関連付け手段とを有することを特徴とする画像処理装置。
【請求項５】
入力画像の色空間がＣＭＹＫである場合に、前記入力画像をシート上に画像形成する際に用いる記録材の組み合わせを、第１の組み合わせに指定する情報を生成し、
前記入力画像の色空間がＲＧＢである場合に、前記入力画像をシート上に画像形成する際に用いる記録材の組み合わせを、前記第１の組み合わせより記録材数が少ない組み合わせに指定する情報を生成する生成手段と、
前記生成手段により生成された情報に応じて前記入力画像をシート上に画像形成するように、前記情報を前記入力画像に関連付ける関連付け手段とを有することを特徴とする画像処理装置。
【請求項６】
入力画像を発生する装置の種類が第１の種類である場合に、前記入力画像をシート上に画像形成する際に用いる記録材の組み合わせを、第１の組み合わせに設定し、
前記入力画像を発生する装置の種類が前記第１の種類より品位の低い種類である場合に、前記入力画像をシート上に画像形成する際に用いる記録材の組み合わせを、前記第１の組み合わせより記録材数が少ない組み合わせに設定する設定手段と、
前記設定手段により設定された記録材の組み合わせを用いて前記入力画像をシート上に画像形成する画像形成手段とを有することを特徴とする画像形成装置。
【請求項７】
入力画像を記述する記述言語の種類が第１の種類である場合に、前記入力画像をシート上に画像形成する際に用いる記録材の組み合わせを、第１の組み合わせに設定し、
前記入力画像を記述する記述言語の種類が、前記第１の種類より前記入力画像を高画質に再現できない種類である場合に、前記入力画像をシート上に画像形成する際に用いる記録材の組み合わせを、前記第１の組み合わせより記録材数が少ない組み合わせに設定する設定手段と、
前記設定手段により設定された記録材の組み合わせを用いて前記入力画像をシート上に画像形成する画像形成手段とを有することを特徴とする画像形成装置。
【請求項８】
入力画像の色空間がＣＭＹＫである場合に、前記入力画像をシート上に画像形成する際に用いる記録材の組み合わせを、第１の組み合わせに設定し、
前記入力画像の色空間がＲＧＢである場合に、前記入力画像をシート上に画像形成する際に用いる記録材の組み合わせを、前記第１の組み合わせより記録材数が少ない組み合わせに設定する設定手段と、
前記設定手段により設定された記録材の組み合わせを用いて前記入力画像をシート上に画像形成する画像形成手段とを有することを特徴とする画像形成装置。
【請求項９】
入力画像を発生する装置の種類が第１の種類である場合に、前記入力画像をシート上に画像形成する際に用いる記録材の組み合わせを、第１の組み合わせに指定する情報を生成し、
前記入力画像を発生する装置の種類が前記第１の種類より品位の低い種類である場合に、前記入力画像をシート上に画像形成する際に用いる記録材の組み合わせを、前記第１の組み合わせより記録材数が少ない組み合わせに指定する情報を生成する生成工程と、
前記生成工程により生成された情報に応じて前記入力画像をシート上に画像形成するように、前記情報を前記入力画像に関連付ける関連付け工程とを有することを特徴とする画像処理方法。
【請求項１０】
前記装置の種類とは、前記入力画像を発生する読み取り装置のセンサの種類であることを特徴とする請求項９に記載の画像処理方法。
【請求項１１】
前記第１の種類の読み取り装置のセンサの種類にはＣＣＤが含まれ、前記第１の種類より品位の低い種類の読み取り装置のセンサの種類にはＣＩＳが含まれることを特徴とする請求項１０に記載の画像処理方法。
【請求項１２】
入力画像を記述する記述言語の種類が第１の種類である場合に、前記入力画像をシート上に画像形成する際に用いる記録材の組み合わせを、第１の組み合わせに指定する情報を生成し、
前記入力画像を記述する記述言語の種類が、前記第１の種類より前記入力画像を高画質に再現できない種類である場合に、前記入力画像をシート上に画像形成する際に用いる記録材の組み合わせを、前記第１の組み合わせより記録材数が少ない組み合わせに指定する情報を生成する生成工程と、
前記生成工程により生成された情報に応じて前記入力画像をシート上に画像形成するように、前記情報を前記入力画像に関連付ける関連付け工程とを有することを特徴とする画像処理方法。
【請求項１３】
入力画像の色空間がＣＭＹＫである場合に、前記入力画像をシート上に画像形成する際に用いる記録材の組み合わせを、第１の組み合わせに指定する情報を生成し、
前記入力画像の色空間がＲＧＢである場合に、前記入力画像をシート上に画像形成する際に用いる記録材の組み合わせを、前記第１の組み合わせより記録材数が少ない組み合わせに指定する情報を生成する生成工程と、
前記生成工程により生成された情報に応じて前記入力画像をシート上に画像形成するように、前記情報を前記入力画像に関連付ける関連付け工程とを有することを特徴とする画像処理方法。
【請求項１４】
入力画像を発生する装置の種類が第１の種類である場合に、前記入力画像をシート上に画像形成する際に用いる記録材の組み合わせを、第１の組み合わせに設定し、
前記入力画像を発生する装置の種類が前記第１の種類より品位の低い種類である場合に、前記入力画像をシート上に画像形成する際に用いる記録材の組み合わせを、前記第１の組み合わせより記録材数が少ない組み合わせに設定する設定工程と、
前記設定工程により設定された記録材の組み合わせを用いて前記入力画像をシート上に画像形成する画像形成工程とを有することを特徴とする画像形成方法。
【請求項１５】
入力画像を記述する記述言語の種類が第１の種類である場合に、前記入力画像をシート上に画像形成する際に用いる記録材の組み合わせを、第１の組み合わせに設定し、
前記入力画像を記述する記述言語の種類が、前記第１の種類より前記入力画像を高画質に再現できない種類である場合に、前記入力画像をシート上に画像形成する際に用いる記録材の組み合わせを、前記第１の組み合わせより記録材数が少ない組み合わせに設定する設定工程と、
前記設定工程により設定された記録材の組み合わせを用いて前記入力画像をシート上に画像形成する画像形成工程とを有することを特徴とする画像形成方法。
【請求項１６】
入力画像の色空間がＣＭＹＫである場合に、前記入力画像をシート上に画像形成する際に用いる記録材の組み合わせを、第１の組み合わせに設定し、
前記入力画像の色空間がＲＧＢである場合に、前記入力画像をシート上に画像形成する際に用いる記録材の組み合わせを、前記第１の組み合わせより記録材数が少ない組み合わせに設定する設定工程と、
前記設定工程により設定された記録材の組み合わせを用いて前記入力画像をシート上に画像形成する画像形成工程とを有することを特徴とする画像形成方法。
【請求項１７】
請求項１０乃至１６の何れか１項に記載の方法の各工程をコンピュータに実行させるためのプログラム。
【請求項１８】
請求項１７に記載のプログラムを格納したコンピュータ読み取り可能な記憶媒体。
【手続補正２】
【補正対象書類名】明細書
【補正対象項目名】発明の名称
【補正方法】変更
【補正の内容】
【発明の名称】画像処理装置、画像形成装置、画像処理方法および画像形成方法
【手続補正３】
【補正対象書類名】明細書
【補正対象項目名】０００１
【補正方法】変更
【補正の内容】
【０００１】
本発明は、画像処理装置、画像形成装置、画像処理方法および画像形成方法に関し、詳しくは、トナーやインクなど印刷に用いる記録剤の種類について、それらを用いる種類の数が異なる複数のモードを切り替えて印刷を行う構成に関するものである。
【手続補正４】
【補正対象書類名】明細書
【補正対象項目名】０００９
【補正方法】変更
【補正の内容】
【０００９】
本発明は、上述した問題を解消するためになされたものであり、その目的とするところは、用いる記録剤の種類の数が異なる複数のモードを切り替えて印刷を行う場合に、印刷する画像に適したモードの設定を簡易な判別によって可能とし、また、その判別に応じた印刷を可能とする画像処理装置、画像形成装置、画像処理方法および画像形成方法を提供することにある。
【手続補正５】
【補正対象書類名】明細書
【補正対象項目名】００１０
【補正方法】変更
【補正の内容】
【００１０】
そのために本発明では、画像処理装置において、入力画像を発生する装置の種類が第１の種類である場合に、前記入力画像をシート上に画像形成する際に用いる記録材の組み合わせを、第１の組み合わせに指定する情報を生成し、前記入力画像を発生する装置の種類が前記第１の種類より品位の低い種類である場合に、前記入力画像をシート上に画像形成する際に用いる記録材の組み合わせを、前記第１の組み合わせより記録材数が少ない組み合わせに指定する情報を生成する生成手段と、前記生成手段により生成された情報に応じて前記入力画像をシート上に画像形成するように、前記情報を前記入力画像に関連付ける関連付け手段とを有することを特徴とする。
【手続補正６】
【補正対象書類名】明細書
【補正対象項目名】００１１
【補正方法】変更
【補正の内容】
【００１１】
他の形態では、画像処理装置において、入力画像を記述する記述言語の種類が第１の種類である場合に、前記入力画像をシート上に画像形成する際に用いる記録材の組み合わせを、第１の組み合わせに指定する情報を生成し、前記入力画像を記述する記述言語の種類が、前記第１の種類より前記入力画像を高画質に再現できない種類である場合に、前記入力画像をシート上に画像形成する際に用いる記録材の組み合わせを、前記第１の組み合わせより記録材数が少ない組み合わせに指定する情報を生成する生成手段と、前記生成手段により生成された情報に応じて前記入力画像をシート上に画像形成するように、前記情報を前記入力画像に関連付ける関連付け手段とを有することを特徴とする。
さらに他の形態では、画像処理装置において、入力画像の色空間がＣＭＹＫである場合に、前記入力画像をシート上に画像形成する際に用いる記録材の組み合わせを、第１の組み合わせに指定する情報を生成し、前記入力画像の色空間がＲＧＢである場合に、前記入力画像をシート上に画像形成する際に用いる記録材の組み合わせを、前記第１の組み合わせより記録材数が少ない組み合わせに指定する情報を生成する生成手段と、前記生成手段により生成された情報に応じて前記入力画像をシート上に画像形成するように、前記情報を前記入力画像に関連付ける関連付け手段とを有することを特徴とする。
【手続補正７】
【補正対象書類名】明細書
【補正対象項目名】００１２
【補正方法】変更
【補正の内容】
【００１２】
また、画像形成装置において、入力画像を発生する装置の種類が第１の種類である場合に、前記入力画像をシート上に画像形成する際に用いる記録材の組み合わせを、第１の組み合わせに設定し、前記入力画像を発生する装置の種類が前記第１の種類より品位の低い種類である場合に、前記入力画像をシート上に画像形成する際に用いる記録材の組み合わせを、前記第１の組み合わせより記録材数が少ない組み合わせに設定する設定手段と、前記設定手段により設定された記録材の組み合わせを用いて前記入力画像をシート上に画像形成する画像形成手段とを有することを特徴とする。
他の形態では、画像形成装置において、入力画像を記述する記述言語の種類が第１の種類である場合に、前記入力画像をシート上に画像形成する際に用いる記録材の組み合わせを、第１の組み合わせに設定し、前記入力画像を記述する記述言語の種類が、前記第１の種類より前記入力画像を高画質に再現できない種類である場合に、前記入力画像をシート上に画像形成する際に用いる記録材の組み合わせを、前記第１の組み合わせより記録材数が少ない組み合わせに設定する設定手段と、前記設定手段により設定された記録材の組み合わせを用いて前記入力画像をシート上に画像形成する画像形成手段とを有することを特徴とする。
さらに他の形態では、画像形成装置において、入力画像の色空間がＣＭＹＫである場合に、前記入力画像をシート上に画像形成する際に用いる記録材の組み合わせを、第１の組み合わせに設定し、前記入力画像の色空間がＲＧＢである場合に、前記入力画像をシート上に画像形成する際に用いる記録材の組み合わせを、前記第１の組み合わせより記録材数が少ない組み合わせに設定する設定手段と、前記設定手段により設定された記録材の組み合わせを用いて前記入力画像をシート上に画像形成する画像形成手段とを有することを特徴とする。
【手続補正８】
【補正対象書類名】明細書
【補正対象項目名】００１３
【補正方法】変更
【補正の内容】
【００１３】
さらに、画像処理方法において、入力画像を発生する装置の種類が第１の種類である場合に、前記入力画像をシート上に画像形成する際に用いる記録材の組み合わせを、第１の組み合わせに指定する情報を生成し、前記入力画像を発生する装置の種類が前記第１の種類より品位の低い種類である場合に、前記入力画像をシート上に画像形成する際に用いる記録材の組み合わせを、前記第１の組み合わせより記録材数が少ない組み合わせに指定する情報を生成する生成工程と、前記生成工程により生成された情報に応じて前記入力画像をシート上に画像形成するように、前記情報を前記入力画像に関連付ける関連付け工程とを有することを特徴とする。
他の形態では、画像処理方法において、入力画像を記述する記述言語の種類が第１の種類である場合に、前記入力画像をシート上に画像形成する際に用いる記録材の組み合わせを、第１の組み合わせに指定する情報を生成し、前記入力画像を記述する記述言語の種類が、前記第１の種類より前記入力画像を高画質に再現できない種類である場合に、前記入力画像をシート上に画像形成する際に用いる記録材の組み合わせを、前記第１の組み合わせより記録材数が少ない組み合わせに指定する情報を生成する生成工程と、前記生成工程により生成された情報に応じて前記入力画像をシート上に画像形成するように、前記情報を前記入力画像に関連付ける関連付け工程とを有することを特徴とする。
さらに他の形態では、画像処理方法において、入力画像の色空間がＣＭＹＫである場合に、前記入力画像をシート上に画像形成する際に用いる記録材の組み合わせを、第１の組み合わせに指定する情報を生成し、前記入力画像の色空間がＲＧＢである場合に、前記入力画像をシート上に画像形成する際に用いる記録材の組み合わせを、前記第１の組み合わせより記録材数が少ない組み合わせに指定する情報を生成する生成工程と、前記生成工程により生成された情報に応じて前記入力画像をシート上に画像形成するように、前記情報を前記入力画像に関連付ける関連付け工程とを有することを特徴とする。
【手続補正９】
【補正対象書類名】明細書
【補正対象項目名】００１４
【補正方法】変更
【補正の内容】
【００１４】
さらに、画像形成方法において、入力画像を発生する装置の種類が第１の種類である場合に、前記入力画像をシート上に画像形成する際に用いる記録材の組み合わせを、第１の組み合わせに設定し、前記入力画像を発生する装置の種類が前記第１の種類より品位の低い種類である場合に、前記入力画像をシート上に画像形成する際に用いる記録材の組み合わせを、前記第１の組み合わせより記録材数が少ない組み合わせに設定する設定工程と、前記設定工程により設定された記録材の組み合わせを用いて前記入力画像をシート上に画像形成する画像形成工程とを有することを特徴とする。
他の形態では、画像形成方法において、入力画像を記述する記述言語の種類が第１の種類である場合に、前記入力画像をシート上に画像形成する際に用いる記録材の組み合わせを、第１の組み合わせに設定し、前記入力画像を記述する記述言語の種類が、前記第１の種類より前記入力画像を高画質に再現できない種類である場合に、前記入力画像をシート上に画像形成する際に用いる記録材の組み合わせを、前記第１の組み合わせより記録材数が少ない組み合わせに設定する設定工程と、前記設定工程により設定された記録材の組み合わせを用いて前記入力画像をシート上に画像形成する画像形成工程とを有することを特徴とする。
さらに他の形態では、画像形成方法において、入力画像の色空間がＣＭＹＫである場合に、前記入力画像をシート上に画像形成する際に用いる記録材の組み合わせを、第１の組み合わせに設定し、前記入力画像の色空間がＲＧＢである場合に、前記入力画像をシート上に画像形成する際に用いる記録材の組み合わせを、前記第１の組み合わせより記録材数が少ない組み合わせに設定する設定工程と、前記設定工程により設定された記録材の組み合わせを用いて前記入力画像をシート上に画像形成する画像形成工程とを有することを特徴とする。